(57)【要約】【課題】  サポート本体の載置台が支柱の下端側に位置する状態である正パレットサポート使用形態と、サポート本体の載置台が支柱の上端側に位置する状態である逆パレットサポート使用形態との２つの形態で使用することができるパレットサポートを提供する。【解決手段】  正パレットサポート使用形態において、載置台８の下面側の左右両側に位置していて、載置台８の下方にフォークリフトのフォークを挿入する空間を形成する脚部３を設け、この左右の脚部３間の間隔Ｌを、正パレットサポート使用形態で載置台８の上面側に載置されるのに適合した大きさのパレットが、逆パレットサポート使用形態で載置台８の左右脚部３間に載置される寸法に形成する。【選択図】図１
0003137613.tif 000002
【実用新案登録請求の範囲】
【請求項１】
左右一対の支柱（６，７）を前後に設けると共に、これら支柱（６，７）の上下一端側にパレットを載置可能な載置台（８）を設け、且つ後側の左右の支柱（７）の上下他端側同志を連結する後部連結材（９）を設けると共に、この後部連結材（９）の左右の端部側と、該端部各々の前方側に位置する前側の左右の支柱（６）の上下他端側とを連結する側部連結材（１０）を設けてなるサポート本体（２）を備え、
このサポート本体（２）は、載置台（８）が支柱（６，７）の下端側に位置する状態である正パレットサポート使用形態と、この正パレットサポート使用形態から上下反転させて載置台（８）が支柱（６，７）の上端側に位置する状態とされた逆パレットサポート使用形態とに使用形態が変更自在であり、
正パレットサポート使用形態において、前記載置台（８）の下面側の左右両側に位置していて、載置台（８）の下方にフォークリフトのフォークを挿入する空間を形成する脚部（３）を設け、
この左右の脚部（３）間の間隔（Ｌ）を、正パレットサポート使用形態で載置台（８）の上面側に載置されるのに適合した大きさのパレットが、逆パレットサポート使用形態で載置台（８）の左右脚部（３）間に載置される寸法に形成したことを特徴とするパレットサポート。
【請求項２】
複数のサポート本体（２）が上下に積み重ね可能とされ、複数のサポート本体（２）を上下に積み重ねたときにおいて、上下一側のサポート本体（２）側の左右の脚部（３）が上下他側のサポート本体（２）の左右の側部連結材（１０）の左右方向内側に位置して上下のサポート本体（２）相互の左右方向の位置規制がなされ、且つ上下一側のサポート本体（２）の載置台（８）の後端側が上下他側のサポート本体（２）の後部連結材（９）に接当すると共に上下一側のサポート本体（２）側の脚部（３）が上下他側のサポート本体（２）の後部連結材（９）の前側に位置するよう構成されていることを特徴とする請求項１に記載のパレットサポート。
【請求項３】
載置台（８）は、前側の左右の支柱（６）の上下一端同志を連結する前枠材（１１）と、後側の左右の支柱（７）の上下一端同志を連結する後枠材（１２）と、前枠材（１１）と後枠材（１２）との左右両端側を連結する左右の側枠材（１３）とを備え、前記脚部（３）は、左右の各側枠材（１３）の左右方向外方側に配置されていると共に該側枠材（１３）の前後方向に沿って設けられていることを特徴とする請求項１又は２に記載のパレットサポート。
【考案の詳細な説明】
【技術分野】
【０００１】
本考案は、パレットサポートに関するものである。
【背景技術】
【０００２】
従来、例えば、倉庫等において、物品をパレットに載せた状態で上下複数段に積み重ねて保管をするために用いられるパレットサポートがある。
このパレットサポートとして、左右一対の支柱を前後に設けると共に、これら支柱の下端側にパレットを載置可能な載置台を設け、且つ後側の左右の支柱の上端側同志を連結する後部連結材を設けると共に、この後部連結材の左右の端部側と、該端部各々の前方側に位置する前側の左右の支柱の上端側とを連結する側部連結材を設けてなる、上下に積み重ね可能とされたサポート本体を備え、
前記載置台の下面側の左右両側に、載置台の下方にフォークリフトのフォークを挿入する空間を形成する脚部を設けてなるものがある（これを正パレットサポートという、特許文献１参照）。
【０００３】
また、パレットサポートとして、左右一対の支柱を前後に設けると共に、これら支柱の上端側にパレットを載置可能な載置台を設け、且つ後側の左右の支柱の下端側同志を連結する後部連結材を設けると共に、この後部連結材の左右の端部側と、該端部各々の前方側に位置する前側の左右の支柱の下端側とを連結する側部連結材を設けてなる、上下に積み重ね可能とされたサポート本体を備えてなるものがある（これを逆パレットサポートという、特許文献２参照）。
【特許文献１】特開平５−４２９４１号公報
【特許文献２】特開２００６−１８２４５２号公報
【考案の開示】
【考案が解決しようとする課題】
【０００４】
前記従来の正パレットサポートにあっては、該正パレットサポートを上下に反転させた場合、脚部が邪魔物となって、載置台上にパレットを載置することができないものであり、そのため、正パレットサポートは上下反転させて逆パレットサポートとして使用することができるものではなかった。
また、逆パレットサポートにあっては、該逆パレットサポートを上下に反転させた場合、載置台の下方にフォークリフトのフォークを挿入する空間が形成されないものであり、そのため、逆パレットサポートを上下反転させて正パレットサポートとして使用することができるものではなかった。
【０００５】
すなわち、従来にあっては、正パレットサポートと逆パレットサポートとはそれぞれ専用品として別個に製造されており、このため、製造コストが嵩むという問題があった。
そこで、本考案は、前記問題点に鑑みて、正パレットサポートと逆パレットサポートとに兼用することができるパレットサポートを提供することを目的とする。
【課題を解決するための手段】
【０００６】
前記技術的課題を解決するために本考案が講じた技術的手段は、左右一対の支柱を前後に設けると共に、これら支柱の上下一端側にパレットを載置可能な載置台を設け、且つ後側の左右の支柱の上下他端側同志を連結する後部連結材を設けると共に、この後部連結材の左右の端部側と、該端部各々の前方側に位置する前側の左右の支柱の上下他端側とを連結する側部連結材を設けてなるサポート本体を備え、
このサポート本体は、載置台が支柱の下端側に位置する状態である正パレットサポート使用形態と、この正パレットサポート使用形態から上下反転させて載置台が支柱の上端側に位置する状態とされた逆パレットサポート使用形態とに使用形態が変更自在であり、
正パレットサポート使用形態において、前記載置台の下面側の左右両側に位置していて、載置台の下方にフォークリフトのフォークを挿入する空間を形成する脚部を設け、
この左右の脚部間の間隔を、正パレットサポート使用形態で載置台の上面側に載置されるのに適合した大きさのパレットが、逆パレットサポート使用形態で載置台の左右脚部間に載置される寸法に形成したことを特徴とする。
【０００７】
また、複数のサポート本体が上下に積み重ね可能とされ、複数のサポート本体を上下に積み重ねたときにおいて、上下一側のサポート本体側の左右の脚部が上下他側のサポート本体の左右の側部連結材の左右方向内側に位置して上下のサポート本体相互の左右方向の位置規制がなされ、且つ上下一側のサポート本体の載置台の後端側が上下他側のサポート本体の後部連結材に接当すると共に上下一側のサポート本体側の脚部が上下他側のサポート本体の後部連結材の前側に位置するよう構成されているのがよい。
また、載置台は、前側の左右の支柱の上下一端同志を連結する前枠材と、後側の左右の支柱の上下一端同志を連結する後枠材と、前枠材と後枠材との左右両端側を連結する左右の側枠材とを備え、前記脚部は、左右の各側枠材の左右方向外方側に配置されていると共に該側枠材の前後方向に沿って設けられているのがよい。
【考案の効果】
【０００８】
本考案のパレットサポートは、サポート本体の載置台が支柱の下端側に位置する状態である正パレットサポート使用形態で使用する場合は、載置台の下面側に設けられた左右の脚部によって載置台の下方にフォークリフトのフォークを挿入する空間が形成され、一方、サポート本体を正パレットサポート使用形態から上下反転させて載置台が支柱の上端側に位置する状態とされた逆パレットサポート使用形態で使用する場合は、正パレットサポート使用形態で載置台の上面側に載置されるのに適合した大きさのパレットを、載置台の左右脚部間に載置することができ、パレットサポートを、正パレットサポート使用形態と逆パレットサポート使用形態との２形態で使用することができる。
【考案を実施するための最良の形態】
【０００９】
以下、本考案の実施の形態を図面を参照して説明する。
図１において、１は、図１（ａ）に示す正パレットサポート使用形態と、図１（ｂ）に示す逆パレットサポート使用形態とで使用することができる（正パレットサポートと逆パレットサポートとに兼用することができる）正逆兼用のパレットサポートである。
以下、図１〜図７を参照して、パレットサポート１の構成を正パレットサポート使用形態とした状態で説明する。
パレットサポート１は、サポート本体２と、脚部３と、係合突起４と、規制片５とを備えている。
【００１０】
サポート本体２は、左右一対の前支柱６と、左右一対の後支柱７と、左右の前支柱６及び左右の後支柱７の下端側（上下一端側）に設けられた載置台８と、左右の後支柱７の上端側（上下他端側）同志を連結する後部連結材９と、後部連結材９の左右の端部と該端部各々の前方側に位置する左右の前支柱６の上端側とを連結する左右の側部連結材１０とから構成されている。
本実施の形態では、左右の前支柱６，左右の後支柱７，後部連結材９，左右の側部連結材１０及び載置台８は、それぞれ角パイプ材によって形成されている。
【００１１】
各前支柱６及び各後支柱７は上下方向に配置され、後部連結材９は左右方向に配置され、各側部連結材１０は前後方向に配置されている。
載置台８は、左右の前支柱６の下端同志を連結する前枠材１１と、後側の左右の支柱の下端同志を連結する後枠材１２と、前枠材１１と後枠材１２との左右両端側を連結する左右の側枠材１３と、これら前枠材１１と後枠材１２との間及び左右側枠材１３の間に設けられた格子部材１４とから構成されていて、載置台８上にパレットが載置可能とされている。
【００１２】
この載置台８は、該載置台８上に載置されるパレット（例えば、左右幅及び前後幅がともに１１００ｍｍとされた標準のパレット）を載置するのに適合した（必要十分な）大きさに形成されている。
前枠材１１及び後枠材１２は左右方向に配置され、左右の側枠材１３は前後方向に配置されている。
また、前枠材１１の左右端部は左右の側枠材１３から左右方向外方に突出して前支柱６の下端に連結されており、また、後枠材１２は左右の側枠材１３から左右方向外方に突出していない。
【００１３】
そして、後支柱７は前支柱６の真後ろに位置しているのではなく、左右方向に関して前支柱６の左右方向内方側に位置している。
また、後連結枠材は後支柱７の上端よりも左右方向外方に突出していて、該後連結材の左右方向の端部と前支柱６の上端とが前後方向の側部連結材１０で連結されている。
また、格子部材１４は、前後方向の縦枠材１６と左右方向の横枠材１７とを格子状に組んで構成されている。
前記脚部３は、左右の各側枠材１３の下面の左右方向外方側に配置されていると共に、側枠材１３下面から下方突出状に設けられている。
【００１４】
また、左右の各脚部３は、側枠材１３の前後方向に沿って、該側枠材１３の前部から後部にわたって設けられている。
なお、本実施の形態では、脚部３は左右の各側枠材１３と一体形成されているが、側枠材１３とは別体で形成して側枠材１３に固着してもよい。
また、脚部３は、各側枠材１３の前部と後部とに分けて設けられていてもよい。
また、左右の各脚部３の下面は平坦面に形成されていて倉庫等の床面上に面接状に接地され載置台８を水平状に保持し、且つ該脚部３によって、図１（ａ）に示す正パレットサポート使用形態で、載置台８の下方にフォークリフトのフォークを挿入することができる空間が形成される。
【００１５】
また、左右各脚部３の後面１８は、下方に行くにしたがって前方に移行する傾斜状のガイド面に形成されている。
また、左右各脚部３の前面１９は、下方に行くにしたがって後方に移行する傾斜状に形成されている。
前記後部連結材９及び側部連結材１０の上面は平坦面に形成され、また、これら後部連結材９及び側部連結材１０から上方に突出する突起物はなく、パレットサポート１を図１（ａ）に示す、正パレットサポート使用形態から上下反転させて図１（ｂ）に示す逆パレットサポート使用形態としたときに、後部連結材９及び側部連結材１０の上面は倉庫等の床面上に面接状に接地して載置台８を水平状に保持し、且つパレットサポート１が倉庫等の床面上に安定した状態に設置される。
【００１６】
前記係合突起４は、半球状に形成され、左右各前支柱６の下端面に下方突出状に設けられている。
また、左右各前支柱６の上端面には、係合突起４が嵌入可能な係合孔２０が形成されている。
前記規制片５は、載置台８の後枠材１２の後面の左右両側に、該後枠材１２から下方に突出するように固着されている。
また、前記左右の脚部３の左右方向の間隔Ｌは、正パレットサポート使用形態で載置台８の上面側に載置されるのに適合した大きさのパレットを、逆パレットサポート使用形態としたときに載置台８の左右の脚部３間に載置することができる寸法に形成されている。
【００１７】
したがって、本実施の形態のパレットサポート１にあっては、正パレットサポート使用形態では、脚部３によって載置台８の下方にフォークリフトのフォークを挿入することができる空間が形成され、逆パレットサポート使用形態では、載置台８上に該載置台８に対応したパレットが載置でき、本実施の形態のパレットサポート１は正パレットサポートと逆パレットサポートとに兼用することができる。
また、前記構成のパレットサポート１にあっては、複数のパレットサポート１を上下に積み重ね可能とされていると共に、複数のパレットサポート１を前後に入れ子状に重ね合わせて保管又は搬送することができるように構成されている。
【００１８】
複数のパレットサポート１を上下に積み重ねる場合を正パレットサポート使用形態で説明する。
図６及び図７に示すように、複数のパレットサポート１を正パレットサポート使用形態で積み重ねると、上側のパレットサポート１の前支柱６が下側のパレットサポート１の前支柱６の上に載置されると共に、上側のパレットサポート１の載置台８の後枠材１２が下側のパレットサポート１の後部連結材９上に載置され、これによって下側のパレットサポート１上に上側のパレットサポート１が載置支持される。
【００１９】
また、パレットサポート１を積み重ねた状態において、上側のパレットサポート１の右側の脚部３が下側のパレットサポート１の右側の側部連結材１０の左右方向内側（左側）に位置すると共に上側のパレットサポート１の左側の脚部３が下側のパレットサポート１の左側の側部連結材１０の左右方向内側（右側）に位置し、これによって上下のサポート本体２相互の左右方向の位置規制がなされる。
また、上側のパレットサポート１の脚部３が下側のパレットサポート１の後部連結材９の前側に位置すると共に、下側のパレットサポート１の後部連結材９の後側に上側のパレットサポート１の規制片５が位置し、これによって、上下のサポート本体２相互の前後方向の位置規制がなされる。
【００２０】
また、上側のパレットサポート１の前支柱６下端の係合突起４が、下側のパレットサポート１の前支柱６上端の係合孔に嵌入することによっても、上下のサポート本体２相互の前後方向及び左右方向の位置規制がなされる。
また、脚部３の後面が下方に行くに従って前方に移行する傾斜状のガイド面とされているので、パレットサポート１を積み重ねるときに、上側のパレットサポート１が下側のパレットサポート１に対して後方に若干位置ズレしても、上側のパレットサポート１の脚部３の後面が下側のパレットサポート１の後部連結材９に接当することにより、上側のパレットサポート１が前方へと案内されて位置ズレが修正可能とされている。
【００２１】
なお、複数のパレットサポート１を逆パレットサポート使用形態で上下に積み重ねる場合は、前述した正パレットサポートをひっくり返した状態と同様であるので説明を省略する。
複数のパレットサポート１を正パレットサポート使用形態で前後に入れ子状に重ね合わせる場合は、前側のパレットサポート１を後側のパレットサポート１に正面側から挿入する。すると、前側のパレットサポート１の脚部３が後側のパレットサポート１の載置台８の側枠材１３上に載置され、且つ前側のパレットサポート１の左右の後支柱７が後側のパレットサポート１の左右の後支柱７に重ね合わされると共に前後のパレットサポート１の前支柱６同志が重ね合わされるように、前後のパレットサポート１が入れ子状に重ね合わされる。
【００２２】
また、複数のパレットサポート１を逆パレットサポート使用形態で前後に入れ子状に重ね合わせる場合は、後側のパレットサポート１を前側のパレットサポート１に背面側から被せるように重ね合わす。
なお、本実施の形態では、パレットサポート１を構成する部材同志は溶接等によって相互に固着されるが、これに限定されることはなく、載置台８と各支柱６，７とをボルト等によって着脱自在に連結すると共に、後部連結材９及び側部連結材１０と各支柱６，７とをボルト等によって着脱自在に連結して、パレットサポート１を分解・組立自在に構成してもよい。
【００２３】
また、規制片５か係合突起４の一方を省略してもよい。
【図面の簡単な説明】
【００２４】
【図１】正パレットサポート使用形態と逆パレットサポート使用形態とを示すパレットサポートの斜視図である。
【図２】パレットサポートの正パレットサポート使用形態での正面図である。
【図３】パレットサポートの正パレットサポート使用形態での平面図である。
【図４】パレットサポートの正パレットサポート使用形態での側面図である。
【図５】パレットサポートの正パレットサポート使用形態での背面図である。
【図６】（ａ）はパレットサポートを積み重ねる前の状態を示す正面図であり、（ｂ）はパレットサポートを積み重ねた状態を示す正面図である。
【図７】（ａ）パレットサポートを積み重ねる前の状態を示す側面図でありは、（ｂ）はパレットサポートを積み重ねた状態を示す側面図であり、（ｃ）はＡ−Ａ線矢示断面図である。
【符号の説明】
【００２５】
２    サポート本体
３    脚部
６    前支柱
７    後支柱
８    載置台
９    後部連結材
１０    側部連結材
１１    前枠材
１２    後枠材
１３    側枠材
Ｌ    左右の脚部間の間隔
【図１】
0003137613.tif 000003
【図２】
0003137613.tif 000004
【図３】
0003137613.tif 000005
【図４】
0003137613.tif 000006
【図５】
0003137613.tif 000007
【図６】
0003137613.tif 000008
【図７】
0003137613.tif 000009